(57)【要約】【課題】最大４ヶ月分の暦の情報を確認できる折り畳み式卓上カレンダーを提供する。【解決手段】内部に複数のカードを収納可能で、内側及び外側にそれぞれ窓を備えた第１及び第２のボックスを備え、さらにそれら第１及び第２のボックスの中心を挟んで重ね合わせ可能とする接続部とを備える。【選択図】図２
0003208430.tif 000002
【実用新案登録請求の範囲】
【請求項１】
内部に複数のカードを収納可能で、内側及び外側にそれぞれ窓を備えた第１及び第２のボックスを備え、さらにそれら第１及び第２のボックスの中心を挟んで重ね合わせ可能とする接続部とを備え、カードの少なくとも１部はカレンダー情報を含み、カレンダー情報を表示しない窓の部分をメモ、写真、イラストの中の少なくとも１つの表示に利用可能であることを特徴とする卓上カレンダー。
【考案の詳細な説明】
【技術分野】
【０００１】  本考案は複数枚のカレンダー用紙を重ねて卓上に立て掛けて使用する卓上カレンダーに関するものである。
【背景技術】
【０００２】  卓上カレンダーというものは本来、単にその月の日付を確認するためのものではなく、過去の暦の情報や未来の暦の情報を確認するという機能も必要不可欠である。特許文献１の屈折式卓上カレンダーは前述の機能があると言える。
【先行技術文献】
【特許文献】
【０００３】
【特許文献１】特開２００５−２９７３９７
【０００４】
【考案の概要】
【考案が解決しようとする課題】
【０００５】  特許文献１は過去や未来の暦の情報を確認することは可能ではあるが、カードを表示させる窓が２ヶ所のみであるため、その範囲は狭く、利用方法も限られていた。本考案は上記問題点に鑑み、カレンダー情報であれば最大４ヶ月分の情報を確認できる折り畳み式卓上カレンダーを提供することを目的としている。
【課題を解決するための手段】
【０００６】  前記請求項１記載の考案は、内部に複数のカードを収納可能で、内側及び外側にそれぞれ窓を備えた第１及び第２のボックスを備え、さらにそれら第１及び第２のボックスの中心を挟んで重ね合わせ可能とする接続部とを備え、カードの少なくとも１部はカレンダー情報を含み、カレンダー情報を表示しない窓の部分をメモ、写真、イラストの中の少なくとも１つの表示に利用可能であることを特徴とする。
【考案の効果】
【０００７】  前述の０００６段落の手段により、本考案の卓上カレンダーは内側及び外側にそれぞれ窓を備えた第１及び第２のボックスを備えることにより、カレンダー情報及びメモ、写真、イラストを表示させることが可能であり、それらを様々なパターンで任意で組み合わせることが可能である。
【図面の簡単な説明】
【０００８】
【図１】卓上カレンダーのボックスの図である。
【図２】卓上カレンダーの使用状態の図である。
【図３】卓上カレンダーの使用状態の図である。
【図４】卓上カレンダーの使用状態の図である。
【図５】卓上カレンダーの折り畳み時の図である。
【図６】卓上カレンダーの使用状態の図である。
【考案を実施するための形態】
【０００９】  以下、本考案を実施するための最良の形態として、卓上カレンダーについて、図面を参照しながら詳細に説明する。
【００１０】  図１は本考案の卓上カレンダーの第１ボックス１へのカードの収納方法を表す図である。例として収納するカードは１月のカレンダー情報ａが示されている。開放部３より複数枚のカードを差し込み収納することができる。表示させたい１月のカレンダー情報ａが一番外側になるように重ねて収納することで第１ボックス内側表示窓１Ａから表示させることができる。第２ボックス２へのカードの収納方法も上記の第１ボックス１へのカードの収納方法と同様である。
【００１１】  図２は本考案の卓上カレンダーの使用状態の例を表す図である。第１ボックス内側表示窓１Ａに１月のカレンダー情報ａ、第１ボックス外側表示窓１Ｂに４月のカレンダー情報ｄを表示させ、又、第２ボックス内側表示窓２Ａに２月のカレンダー情報ｂ、第２ボックス外側表示窓２Ｂに３月のカレンダー情報ｃを表示させ、４ヶ所全ての窓に連続した１月〜４月までのカレンダー情報を表示させた例である。図２のＡの状態で卓上で使用している際、図２のＢの３月のカレンダー情報ｃもしくは４月のカレンダー情報ｄを確認したい場合は卓上カレンダー本体を回転させ、第２ボックス外側表示窓２Ｂ及び第１ボックス外側表示窓１Ｂが見えるようにすれば、表示させるカードを変更することなく容易に確認することができる。
【００１２】  図３は本考案の卓上カレンダーの使用状態の例を表す図である。第１ボックス内側表示窓１Ａに２月のカレンダー情報ｂ、第１ボックス外側表示窓１Ｂに１２月のカレンダー情報ｇを表示させ、又、第２ボックス内側表示窓２Ａに５月のカレンダー情報ｅ、第２ボックス外側表示窓２Ｂに９月のカレンダー情報ｆ表示させ、４ヶ所全ての窓に連続しないカレンダー情報を表示させた例である。４ヶ所に設けられた窓を全て利用し、任意に選択された常に表示させておきたいカレンダー情報を最大４枚まで表示させることができる。
【００１３】  図４は第１ボックス内側表示窓１Ａに１月のカレンダー情報ａ、第１ボックス外側表示窓１Ｂにイラストｊを表示させ、又、第２ボックス内側表示窓２Ａにメモ欄ｈ、第２ボックス外側表示窓２Ｂに写真ｉを表示させた例である。図４のＡは１月のカレンダー情報ａを表示させている第１ボックス内側表示窓１Ａとメモ欄ｈを表示させている第２ボックス内側表示窓２Ａが第１ボックス１及び第２ボックス２の中心の接続部を挟んで隣り合っているため、メモ欄ｈに１月の予定や重点事項等を書き込めば効率的に１月の予定等を確認することができる。又、図４のＢのような、表示させているカレンダー情報に関連する、もしくは趣味、嗜好にあった写真やイラストを表示させるといった使用方法も可能である。
【００１４】  図５は図４で表した卓上カレンダー本体の第１ボックス１及び第２ボックス２の中心の接続部を折り畳んだ状態である。卓上の狭い場所で本考案の卓上カレンダーを使用する際は、二つに折り畳んで置くことができる。第１ボックス外側表示窓１Ｂに表示されているイラストｊや第２ボックス外側表示窓２Ｂに表示されている写真ｉは図５のＡの状態でも確認することが可能であり、１月のカレンダー情報ａ及びメモ欄ｈは図５のＢの様に、第１ボックス１及び第２ボックス２を手動で展開することで表示させることが可能である。
【００１５】  図６のＡは第１ボックス内側表示窓１Ａ及び第２ボックス内側表示窓２Ａにそれぞれ写真ｋ及び写真ｌ表示させた例である。図６のＢは第２ボックス外側表示窓２Ｂ及び第１ボックス外側表示窓１Ｂにそれぞれイラストｍ及びイラストｎを表示させた例である。本考案の卓上カレンダーはカレンダー情報が全て古いものになったとしても、図６のＡ及び図６のＢの様に第１ボックス１及び第２ボックス２に設けられた４ヶ所の窓に写真、イラストを表示させることで卓上で使用可能な写真立てとしての用途も期待できる。
【符号の説明】
【００１６】  １      第１ボックス
１Ａ    第１ボックス内側表示窓
１Ｂ    第１ボックス外側表示窓
２      第２ボックス
２Ａ    第２ボックス内側表示窓
２Ｂ    第２ボックス外側表示窓
３      開放部
ａ      １月のカレンダー情報
ｂ      ２月のカレンダー情報
ｃ      ３月のカレンダー情報
ｄ      ４月のカレンダー情報
ｅ      ５月のカレンダー情報
ｆ      ９月のカレンダー情報
ｇ      １２月のカレンダー情報
ｈ      メモ欄
ｉ、ｋ、ｌ      写真
ｊ、ｍ、ｎ      イラスト
【図１】
0003208430.tif 000003
【図２】
0003208430.tif 000004
【図３】
0003208430.tif 000005
【図４】
0003208430.tif 000006
【図５】
0003208430.tif 000007
【図６】
0003208430.tif 000008